(57)【要約】【課題】ユーザが感じる体感温度を適切に調整することができる空調システムを提供する。【解決手段】空調システム１は、ユーザ３からの室内２の温度変更を示す温度変更情報が入力される入力部１０と、室内２の室温を検出する温度検出部２０と、室内２のＣＯ２濃度を検出するＣＯ２濃度検出部３０と、室内２のＣＯ２濃度を調整するＣＯ２濃度調整部４０と、入力部１０に温度変更情報が入力されたときに、温度検出部２０で検出した室温とＣＯ２濃度検出部３０で検出したＣＯ２濃度とに基づいてＣＯ２濃度調整部３０を制御することでユーザ３が感じる体感温度を調整する制御部６０と、を備える。【選択図】図１
2017096584.tif 000002
【特許請求の範囲】
【請求項１】
ユーザからの室内の温度変更を示す温度変更情報が入力される入力部と、
前記室内の室温を検出する温度検出部と、
前記室内のＣＯ２濃度を検出するＣＯ２濃度検出部と、
前記室内のＣＯ２濃度を調整するＣＯ２濃度調整部と、
前記入力部に前記温度変更情報が入力されたときに、前記温度検出部で検出した前記室温と前記ＣＯ２濃度検出部で検出した前記ＣＯ２濃度とに基づいて前記ＣＯ２濃度調整部を制御することで前記ユーザが感じる体感温度を調整する制御部と、を備える
空調システム。
【請求項２】
前記制御部は、前記室内のＣＯ２濃度を人が快適と感じる所定のＣＯ２濃度を示す快適ＣＯ２濃度に近づけるように前記ＣＯ２濃度調整部を制御する
請求項１に記載の空調システム。
【請求項３】
さらに、温度設定できる温度調整部を備え、
前記温度変更情報が、前記ユーザが暑いと感じて前記室内の温度を下げるための情報である場合、
前記制御部は、
前記温度検出部で検出した現在の前記室温＞前記温度調整部の設定温度、かつ、前記ＣＯ２濃度検出部で検出した現在の前記ＣＯ２濃度≦前記快適ＣＯ２濃度である場合は、前記温度調整部の前記設定温度を下げ、
前記温度検出部で検出した現在の前記室温≦前記温度調整部の設定温度、かつ、前記ＣＯ２濃度検出部で検出した現在の前記ＣＯ２濃度＞前記快適ＣＯ２濃度である場合は、前記室内のＣＯ２濃度を減らす方向に前記ＣＯ２濃度調整部を制御し、
前記温度検出部で検出した現在の前記室温＞前記温度調整部の設定温度、かつ、前記ＣＯ２濃度検出部で検出した現在の前記ＣＯ２濃度＞前記快適ＣＯ２濃度である場合は、前記温度調整部の前記設定温度を下げ、かつ、前記室内のＣＯ２濃度を減らす方向に前記ＣＯ２濃度調整部を制御する
請求項２に記載の空調システム。
【請求項４】
前記ユーザが暑いと感じている場合、
前記温度変更情報は、前記ユーザが前記温度調整部の設定温度を低くしようとする情報、又は、前記ユーザが暑いと感じているという感覚の情報である
請求項３に記載の空調システム。
【請求項５】
外気温を検出する外気温検出部を備え、
前記制御部は、前記温度検出部で検出した現在の前記室温≦前記温度調整部の設定温度、かつ、前記外気温検出部で検出した現在の前記外気温＞所定の時間前に前記外気温検出部で検出した過去の前記外気温である場合は、前記温度調整部の前記設定温度を下げる
請求項１〜４のいずれか１項に記載の空調システム。
【請求項６】
前記ＣＯ２濃度調整部は、気流の揺らぎを発生させる機能を有する換気装置である
請求項１〜４のいずれか１項に記載の空調システム。
【請求項７】
コンピュータを、請求項１〜６のいずれか１項に記載の空調システムとして機能させるためのプログラム。
【発明の詳細な説明】
【技術分野】
【０００１】
本発明は、空調システム及びプログラムに関する。
【背景技術】
【０００２】
一般住宅又はビル等の室内の空気調和に対しては、エアコン等の冷暖房機、空調機又は換気装置等からなる空調システムによって、室内の快適性を確保したり空気環境を保全したりしている。例えば、室内の人が快適に感じるような室温にするためにエアコンを用いて室内空間の空調を制御している。
【０００３】
従来、室温だけではなく室内空間のＣＯ２濃度に応じて室内の空調の制御を行う空調システムが提案されている。例えば、特許文献１には、室内のＣＯ２濃度を検出して、検出したＣＯ２濃度に応じて空調機による温熱処理と換気装置による換気処理とのどちらの処理を優先すべきかを自動的に選択することで、快適な室内空間を得ることができる自動換気システムが開示されている。
【先行技術文献】
【特許文献】
【０００４】
【特許文献１】特開２０００−８８３２０号公報
【発明の概要】
【発明が解決しようとする課題】
【０００５】
人は、皮膚内又は体内に温点及び冷点を持ち、温点及び冷点によって温度に対する刺激を感じとっている。温点は、暑さを感じる受容器（温受容器）であり、冷点は、寒さを感じる受容器（冷受容器）である。人は、これらの受容器によって温度に対する刺激を温覚又は冷覚として感知している。
【０００６】
温受容器及び冷受容器は、温度以外の刺激にも反応することが知られている。例えば、カプサイシンの刺激は、温受容器において温覚として感知され、メントールの刺激は、冷受容器において冷覚として感知される。
【０００７】
また、ＣＯ２（二酸化炭素）も温覚又は冷覚に対する刺激物質である。ＣＯ２は、冷受容器を抑制し、温受容器を活性化させるため、人に暑さを感じさせる要因となり得る。つまり、ＣＯ２には人に暑さを感じさせる作用があり、被験者実験においてもＣＯ２濃度が高い環境下では温冷感評価での暑さ評価値が高くなることが分かっている。
【０００８】
人が暑さや寒さを感じることを解消させる場合には空調システムによって空調の制御を行うが、これまでの空調システムでは、温度のみをトリガーとした空調の制御（つまり温度の制御）を行っている。例えば、室温を監視しておき、室温が高ければ室温を下げるような温度の制御を行う。実際のところ、日常生活においてもユーザが暑いと感じたときにはエアコンの設定温度を下げるなどの方法によって室温の制御を行っている。
【０００９】
しかしながら、ユーザが暑いと感じたり寒いと感じたりする体感温度は必ずしも温度のみに依存するわけではない。例えば、上述のように、ＣＯ２も人の体感温度に影響を及ぼしていると考えられる。このため、温度の制御を中心としたこれまでの空調システムでは、必ずしもユーザが感じる体感温度を人が快適と感じる体感温度にすることができない。
【００１０】
また、特許文献１に開示された空調システムでは、ＣＯ２濃度に応じて室内の空調の制御を行っているが、ＣＯ２濃度に応じてユーザの体感温度を調節しようとするものではなく、室温をユーザが快適に感じるような温度に適切に制御することができない。つまり、ユーザが感じる体感温度を適切に調整することができない。
【００１１】
本発明は、このような課題を解決するためになされたものであり、ユーザが感じる体感温度を適切に調整することができる空調システムを提供することを目的とする。
【課題を解決するための手段】
【００１２】
上記目的を達成するために、本発明に係る空調システムの一態様は、ユーザからの室内の温度変更を示す温度変更情報が入力される入力部と、前記室内の室温を検出する温度検出部と、前記室内のＣＯ２濃度を検出するＣＯ２濃度検出部と、前記室内のＣＯ２濃度を調整するＣＯ２濃度調整部と、前記入力部に前記温度変更情報が入力されたときに、前記温度検出部で検出した前記室温と前記ＣＯ２濃度検出部で検出した前記ＣＯ２濃度とに基づいて前記ＣＯ２濃度調整部を制御することで前記ユーザが感じる体感温度を調整する制御部と、を備える空調システムである。
【００１３】
なお、本発明は、コンピュータを上記空調システムとして機能させるためのプログラムとして実現したり、そのプログラムを格納したコンピュータ読み取り可能な記録媒体として実現したりすることもできる。
【発明の効果】
【００１４】
ユーザが感じる体感温度を適切に調整することができる。
【図面の簡単な説明】
【００１５】
【図１】実施の形態１に係る空調システムの構成を示すブロック図である。
【図２】実施の形態１に係る空調システムによる空調制御方法を示すフロー図である。
【図３】実施の形態２に係る空調システムの構成を示すブロック図である。
【図４】実施の形態２に係る空調システムによる空調制御方法を示すフロー図である。
【発明を実施するための形態】
【００１６】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１７】
また、各図は、模式図であり、必ずしも厳密に図示されたものではない。なお、各図において、実質的に同一の構成に対しては同一の符号を付しており、重複する説明は省略又は簡略化する。
【００１８】
（実施の形態１）
実施の形態１に係る空調システム１について、図１を用いて説明する。図１は、実施の形態１に係る空調システム１の構成を示すブロック図である。
【００１９】
図１に示すように、空調システム１は、一般住宅又はビル等の室内２の空気調和を制御するシステムであり、入力部１０と、温度検出部２０と、ＣＯ２濃度検出部３０と、ＣＯ２濃度調整部４０と、温度調整部５０と、制御部６０と、記憶部７０とを備える。
【００２０】
入力部１０には、ユーザ３からの室内２の温度変更を示す温度変更情報が入力される。つまり、入力部１０は、室内２の温度変更を示す温度変更情報をユーザ３から受け付ける受付部として機能する。
【００２１】
例えば、室内２にいるユーザ３が暑いと感じる場合、ユーザ３は、暑いと感じる情報を空調システム１に入力する。具体的には、ユーザ３が暑いと感じて室内２の温度を下げたいと判断した場合、ユーザ３は、室内２の温度を下げるように変更することを示す温度変更情報を入力部１０に入力する。入力部１０に入力された温度変更情報は、制御部６０に通知される。
【００２２】
入力部１０は、ユーザ３からの室内２の温度変更を示す温度変更情報をシステムに入力するための入力装置であり、例えばリモコンなどの入力端末である。例えば、ユーザ３が暑いと感じて室内２の温度を下げたいと判断した場合、ユーザ３は、温度変更情報として、温度調整部５０の設定温度を下げる指示（例えば、設定温度を２８℃から２５℃に変更すること）をリモコンに入力する。
【００２３】
なお、入力部１０は、リモコンに限るものではなく、ユーザ３が保有するスマートフォンなどの通信端末であってもよい。この場合、温度変更情報は、この通信端末を経由して制御部６０に通知される。また、入力部１０は、制御部６０と別の装置ではなく、制御部６０の一部であってもよい。この場合、温度変更情報は、制御部６０に直接入力されることになる。また、入力部１０には、温度変更情報以外の情報が入力されてもよい。
【００２４】
温度検出部２０は、室内２の室温（温度データ）を検出する。温度検出部２０は、例えば、室内２に設置された温度センサである。温度検出部２０は、空調システム１を構成する機器（例えば温度調整部５０）に内蔵されていてもよいし、空調システム１を構成する機器とは別体で室内２に設置されていてもよい。温度検出部２０で検出された室温は、制御部６０に通知される。
【００２５】
ＣＯ２濃度検出部３０は、室内２のＣＯ２濃度（濃度データ）を検出する。ＣＯ２濃度検出部３０は、例えば、ＣＯ２濃度センサである。ＣＯ２濃度検出部３０は、空調システム１を構成する機器（例えば温度調整部５０）に内蔵されていてもよいし、空調システム１を構成する機器とは別体で室内２に設置されていてもよい。ＣＯ２濃度検出部３０で検出されたＣＯ２濃度は、制御部６０に通知される。
【００２６】
温度検出部２０による温度データの取得及びＣＯ２濃度検出部３０による濃度データの取得は、基本的には常時行うことでよいが、少なくとも日常の生活環境においては、温度もＣＯ２濃度もにおい物質などのように急増する性質のものではないので、３０秒間隔又は１分間隔などの一定間隔で取得しておけば十分である。
【００２７】
ＣＯ２濃度調整部４０は、室内２のＣＯ２濃度を調整する。具体的には、ＣＯ２濃度調整部４０は、制御部６０からの指示を受け取り、室内２のＣＯ２濃度を調整する。ＣＯ２濃度調整部４０は、ＣＯ２の絶対量そのものを増減させることでＣＯ２濃度を調整してもよいし、大気中に含まれるＣＯ２以外の気体（酸素等）を増減させることでＣＯ２濃度を調整してもよい。後者の場合、ＣＯ２の絶対量そのものは変化しないが、相対的にＣＯ２濃度が増減する。
【００２８】
ＣＯ２濃度調整部４０は、空調機器であり、例えば、換気ファン、送風ファン、吸気ファン又は排気ファンなどの換気装置である。この場合、換気装置を動作させて室内外の空気の換気を行うことで、室内２のＣＯ２濃度を下げることができる。また、ＣＯ２濃度調整部４０は、気流の揺らぎを発生させる機能を有する換気装置であってもよい。この場合、ＣＯ２濃度調整部４０における気流の揺らぎ制御は、制御部６０からの制御指示で行うことができる。
【００２９】
なお、ＣＯ２濃度調整部４０は、換気装置に限るものではなく、室内２に酸素を発生させる酸素発生装置、又は、人工光合成などでＣＯ２を分解するＣＯ２分解装置などであってもよい。
【００３０】
温度調整部５０は、室内２の温度（室温）を調整する。具体的には、温度調整部５０は、制御部６０からの指示を受け取り、室内２の温度を調整する。温度調整部５０は、空調機器であり、例えばエアコン等の冷暖房機である。温度調整部５０は、所定の温度に設定することができる。温度調整部５０の設定温度を変更することによって、室内２の温度を上げたり下げたりすることができる。
【００３１】
制御部６０は、入力部１０からの温度変更情報を受け取ることで、室内２の空調制御の見直しを開始する。この場合、制御部６０は、温度検出部２０及びＣＯ２濃度検出部３０から現在のＣＯ２濃度及び室温の情報を受け取り、受け取ったＣＯ２濃度及び室温の情報に基づいて、どのような空調制御が必要であるかを判断する。
【００３２】
例えば、必要な制御が温度制御である場合、制御部６０は、設定温度の変更を示す制御指示を温度調整部５０に通知する。これにより、温度調整部５０は、変更された設定温度で空調制御を続ける。また、必要な制御がＣＯ２濃度の制御である場合、制御部６０は、ＣＯ２濃度の変更を示す制御指示をＣＯ２濃度調整部４０に通知する。これにより、ＣＯ２濃度調整部４０は、変更されたＣＯ２濃度となるように空調制御を続ける。
【００３３】
本実施の形態において、制御部６０は、ＣＯ２濃度及び室温に基づいてＣＯ２濃度調整部４０及び温度調整部５０を制御する。具体的には、制御部６０は、入力部１０に温度変更情報が入力されたときに、温度検出部２０で検出した室温とＣＯ２濃度検出部３０で検出したＣＯ２濃度とに基づいてＣＯ２濃度調整部４０を制御したり温度調整部５０を制御したりすることでユーザ３が感じる体感温度を調整する。つまり、制御部６０は、ユーザ３が感じる体感温度を調整するために、ＣＯ２濃度調整部４０及び温度調整部５０を制御している。
【００３４】
また、ＣＯ２濃度調整部４０を制御する場合、制御部６０は、例えば、室内２のＣＯ２濃度を人が快適と感じる所定のＣＯ２濃度を示す快適ＣＯ２濃度に近づけるようにＣＯ２濃度調整部４０を制御している。これにより、ユーザ３が感じる体感温度を人が快適と感じる体感温度に近づけることができる。
【００３５】
ここで、快適ＣＯ２濃度について説明する。ＣＯ２濃度に対する人の感受性は温度と比べて高くない。また、ＣＯ２の人体への影響についても、少なくとも日常生活の範囲では有害というほど大きなものではないが、ＣＯ２の人体への影響は皆無というわけではない。例えば、ＣＯ２濃度が１０００ｐｐｍ（０．１％）を越えると、呼吸器や循環器などへの影響が出はじめたり、特定のタスクに対する集中力が低下したりするなどの知見も存在する。また、日常生活レベルを超えて、数％〜数十％のＣＯ２濃度になると、耳鳴りや頭痛などの体調不良、意識障害や中枢神経障害など、生命の危険にさらされる場合もある。実験によれば、ＣＯ２濃度が低い環境下では快適性評価が高く、ＣＯ２濃度の増加に伴って不快側への評価が増加していくことが分かった。つまり、ＣＯ２濃度は、人体に対する影響度合いに応じて複数の閾値（基準）が存在することが分かった。例えば、ＣＯ２濃度には、高濃度から低濃度にかけて、人体に快適な（不快でない）ＣＯ２濃度、人体に無害なＣＯ２濃度、若干人体に影響があるＣＯ２濃度、及び、人体に有害なＣＯ２濃度などと複数の閾値が存在すると考えられる。そこで、人体にとって無害で快適な空気環境と感じられるＣＯ２濃度を人が快適と感じる所定のＣＯ２濃度（人体快適ＣＯ２濃度）と設定し、本実施の形態では、快適ＣＯ２濃度を基準にＣＯ２濃度の制御を行っている。人が快適と感じる所定のＣＯ２濃度の基準値（閾値）は、例えば８００ｐｐｍである。
【００３６】
記憶部７０は、空調システム１における様々な情報を記憶する。例えば、記憶部７０には、温度検出部２０で検出された室温及びＣＯ２濃度検出部３０で検出されたＣＯ２濃度が記憶される。室温及びＣＯ２濃度を検出するたびにこれらを記憶部７０に記憶して蓄積していってもよい。この場合、記憶部７０には、室温及びＣＯ２濃度だけではなく、その他の環境条件を取得して併せて記憶してもよいし、また、制御部６０が制御した空調機器の制御内容及び環境条件に対するユーザの主観評価結果などを記憶してもよい。また、記憶部７０に記憶するこれらの情報をデータベース化してまとめておくことで、各ユーザに適した空調制御をユーザ別に行うことができたり、制御すべき空調機器を予測して空調制御を行ったりできる。
【００３７】
また、記憶部７０には、人が快適と感じる所定のＣＯ２濃度（値）を示す快適ＣＯ２濃度が記憶されている。また、記憶部７０には、所定のＣＯ２濃度として、人体に対する影響度合いに応じた複数の閾値（基準）が記憶されていてもよい。
【００３８】
なお、記憶部７０は、その他の情報を記憶してもよいし、制御部６０が行う処理に必要な一連のプログラム等を記憶していてもよい。
【００３９】
次に、本実施の形態に係る空調システム１による空調制御方法について、図１を参照しながら図２を用いて説明する。図２は、実施の形態１に係る空調システム１による空調制御方法を示すフロー図である。
【００４０】
本実施の形態における空調制御方法では、室内２にいるユーザ３が感じる体感温度の原因を分析し、この分析結果に基づいて室内２の空調機器を自動的に適切に制御することでユーザ３が快適に感じられる温度に調整している。
【００４１】
まず、図２に示すように、入力部１０に温度変更情報の入力があるか否かを監視しておき（Ｓ１１）、入力部１０に温度変更情報の入力があった場合（Ｓ１１でＹｅｓ）、現在の室内２の温度（現在室温）と温度調整部５０の設定温度とを比較する（Ｓ１２）。
【００４２】
具体的には、室内２にいるユーザ３が体感温度により室内２の温度を変更しようと判断した場合、ユーザ３は、室内２の温度を適切な温度となるように調節するために、温度調整部５０の設定温度を変更することを示す温度変更情報を入力部１０に入力する。
【００４３】
例えば、ユーザ３が暑いと感じている場合、ユーザ３は、室内２の温度を低くするために、リモコンによって温度調整部５０の設定温度を低く設定し直す。つまり、この場合、温度変更情報は、ユーザ３が暑いと感じて室内２の温度を下げるための情報であり、より具体的には、ユーザ３が温度調整部５０の設定温度を低くしようとする情報である。
【００４４】
なお、ユーザ３が暑いと感じている場合の温度変更情報は、ユーザ３が温度調整部５０の設定温度を低くしようとする情報に限るものではなく、ユーザ３が暑いと感じているという感覚の情報、具体的には、暑さ感評価又は温冷感評価などのユーザが感じている暑さ度合いを主観的に示すような情報であってもよい。
【００４５】
入力部１０に入力された温度変更情報は、制御部６０に通知される。これにより、制御部６０は、入力部１０に温度変更情報の入力があったと判断し（Ｓ１１でＹｅｓ）、現在室温と温度調整部５０の設定温度とを比較する（Ｓ１２）。室温は、例えば一定の時間間隔で温度検出部２０によって検出されて制御部６０に通知されたり記憶部７０に記憶されたりしている。現在室温は、温度検出部２０から直接取得してもよいし、温度検出部２０で検出された後に制御部６０又は記憶部７０を経由して取得してもよい。また、温度調整部５０の設定温度は、温度調整部５０又は制御部６０から取得することができる。
【００４６】
現在室温と温度調整部５０の設定温度とを比較した結果、現在室温が温度調整部５０の設定温度よりも大きい場合（Ｓ１２で、現在室温＞設定温度）、制御部６０は、温度調整部５０を制御する（Ｓ１３）。具体的には、制御部６０は、設定温度を下げるように温度調整部５０を制御する。
【００４７】
次に、制御部６０は、現在のＣＯ２濃度と、人が快適と感じる所定のＣＯ２濃度を示す快適ＣＯ２濃度とを比較する（Ｓ１４）。ＣＯ２濃度は、例えば一定の時間間隔でＣＯ２濃度検出部３０によって検出されて制御部６０に通知されたり記憶部７０に記憶されたりしている。現在のＣＯ２濃度は、ＣＯ２濃度検出部３０から直接取得してもよいし、ＣＯ２濃度検出部３０で検出された後に制御部６０又は記憶部７０を経由して取得してもよい。また、快適ＣＯ２濃度は、記憶部７０に予め記憶されており、記憶部７０から取得することができる。
【００４８】
一方、現在室温と温度調整部５０の設定温度とを比較した結果、現在室温が温度調整部５０の設定温度以下である場合（Ｓ１２で、現在室温≦設定温度）、制御部６０は、温度調整部５０を制御せずに（つまり、温度調整部５０の設定温度を変更せずに）、現在のＣＯ２濃度と人が快適と感じる所定のＣＯ２濃度を示す快適ＣＯ２濃度とを比較する（Ｓ１４）。
【００４９】
そして、現在のＣＯ２濃度と快適ＣＯ２濃度とを比較した結果、現在のＣＯ２濃度が快適ＣＯ２濃度よりも大きい場合（Ｓ１４で、現在ＣＯ２濃度＞快適ＣＯ２濃度）、ＣＯ２濃度調整部４０を制御する（Ｓ１５）。具体的には、制御部６０は、室内２のＣＯ２濃度を下げるようにＣＯ２濃度調整部４０を制御する。
【００５０】
一方、現在のＣＯ２濃度と快適ＣＯ２濃度とを比較した結果、現在のＣＯ２濃度が快適ＣＯ２濃度以下である場合（Ｓ１４で、現在ＣＯ２濃度≦快適ＣＯ２濃度）、制御部６０は、ＣＯ２濃度調整部４０を制御しない。つまり、温度調整部５０の設定温度は変更しない。
【００５１】
以上、本実施の形態に係る空調システム１によれば、ユーザ３からの室内２の温度変更を示す温度変更情報が入力部１０に入力されたときに、温度検出部２０で検出した室温とＣＯ２濃度検出部３０で検出したＣＯ２濃度とに基づいてＣＯ２濃度調整部４０を制御することでユーザ３が感じる体感温度を調整している。
【００５２】
このように、本実施の形態では、室内２にいるユーザ３が感じる体感温度の原因（例えば暑さを感じることの原因）には室温とＣＯ２濃度との２種類があることに着目し、室内２にいるユーザ３が感じる体感温度の原因を分析し、この分析結果に基づいてＣＯ２濃度調整部４０と温度調整部５０とを制御して室内２の空調制御を行っている。
【００５３】
つまり、人が感じる暑さや寒さは必ずしも温度のみに依存するとは限らず、例えば室内２にいるユーザ３が暑いと感じている場合には、室温が高いことが原因になっている場合とＣＯ２濃度が高いことが原因になっている場合とがあることから、本実施の形態では、室内２の温度だけではなく室内２のＣＯ２濃度も考慮して空調制御を行っている。
【００５４】
具体的には、本実施の形態では、室内２にいるユーザ３が暑いと感じている場合には、暑さを感じている原因が室温であるかＣＯ２濃度であるかを判断した上で、それぞれの原因に基づく空調制御を行っている。例えば、室温が高い場合は室温を下げるように空調制御を行い、ＣＯ２濃度が高い場合はＣＯ２濃度を下げるように空調制御を行っている。
【００５５】
これにより、室内２の空調環境下におけるユーザ３の体感温度を最適に調節することができるので、ユーザ３が感じる体感温度を適切に調整することができる。したがって、ユーザ３の快適性を向上させることができる。
【００５６】
しかも、本実施の形態における空調システム１によれば、ユーザ３の健康を害することなく快適性を向上させることができる。
【００５７】
この点に関して、これまでの空調制御では暑さを感じた原因に関係なく温度を下げるような制御を行うことで人が感じる暑さ感を解消していた。この場合、温度を下げればそれだけ人体が受け取る温覚刺激が減るので、ユーザの暑さ感が緩和されて結果的には目的を達成することができる。しかしながら、本当は温度を下げるような制御をしなくてもよかった場合は電力エネルギーが無駄になるし、また、電力エネルギーの問題を別にしても、温度を下げれば冷えや疲労を伴い健康を害することがある。このため、単純に温度を下げればよいというものではなく、特にＣＯ２濃度が高い場合には実際の室温以上の暑さを知覚していることになるので、決して高いわけではない室温を下げてしまう可能性がある。
【００５８】
これに対して、本実施の形態では、上述のように、ユーザ３が感じている体感温度の原因が室温であるかＣＯ２濃度であるかを判断した上で室温又はＣＯ２濃度の空調制御を行っている。これにより、ユーザ３の健康を害することなく、快適性を向上させることができる。
【００５９】
また、本実施の形態では、室内２のＣＯ２濃度を人が快適と感じる所定のＣＯ２濃度を示す快適ＣＯ２濃度に近づけるようにＣＯ２濃度調整部４０を制御している。
【００６０】
これにより、ユーザ３が感じる体感温度を人が快適と感じる体感温度に容易に近づけることができるので、ユーザ３が感じる体感温度をより適切に調整することができる。
【００６１】
また、本実施の形態では、室温が高い場合とＣＯ２濃度が高い場合とのそれぞれの場合に必要な空調機器の制御が異なることから、温度変更情報がユーザ３が暑いと感じて室内２の温度を下げるための情報である場合には、温度検出部２０で検出した現在の室温、温度調整部５０の設定温度、及び、人が快適と感じる所定のＣＯ２濃度を示す快適ＣＯ２濃度に応じて、次のような空調制御を行っている。
【００６２】
（ｉ）温度検出部２０で検出した現在の室温＞温度調整部５０の設定温度、かつ、ＣＯ２濃度検出部３０で検出した現在のＣＯ２濃度≦快適ＣＯ２濃度である場合は、室温が高いことが原因となってユーザ３が暑さを感じている。そこで、制御部６０は、設定温度を下げるように温度調整部５０を制御する。
【００６３】
（ｉｉ）温度検出部２０で検出した現在の室温≦温度調整部５０の設定温度、かつ、ＣＯ２濃度検出部３０で検出した現在の前記ＣＯ２濃度＞快適ＣＯ２濃度である場合は、ＣＯ２濃度が高いことが原因となってユーザ３が暑さを感じている。そこで、制御部６０は、室内２のＣＯ２濃度を減らす方向にＣＯ２濃度調整部４０を制御する。
【００６４】
（ｉｉｉ）温度検出部２０で検出した現在の室温＞温度調整部５０の設定温度、かつ、ＣＯ２濃度検出部３０で検出した現在のＣＯ２濃度＞快適ＣＯ２濃度である場合は、室温が高いこととＣＯ２濃度が高いことの両方が原因となってユーザ３が暑さを感じている。そこで、制御部６０は、設定温度を下げるように温度調整部５０を制御し、かつ、室内２のＣＯ２濃度を減らす方向にＣＯ２濃度調整部４０を制御する。
【００６５】
このように、ユーザ３が暑いと感じている場合に、（ｉ）〜（ｉｉｉ）のような空調制御を行うことで、ユーザ３が暑いと感じる体感温度を適切に下げることができる。
【００６６】
また、本実施の形態において、ＣＯ２濃度調整部４０は、気流の揺らぎを発生させる機能を有する換気装置としてもよい。
【００６７】
人は刺激の変化を敏感に感じるが、一定の刺激を受け続けると順応し、刺激に対する反応が鈍化する。このため、刺激に変化を持たせることで快適性などを向上させることができ得る。例えば、温度を変化させることで快適性と生産性が向上したり、風速や風向を変化させることで快適性が向上したり、香り濃度を変化させることでα波が増加して快適性が向上したりする。空調機器による送風に対する刺激も同様であり、送風する気流に揺らぎ（強弱）を付けて気流に変化を持たせることで快適性を向上させることができる。
【００６８】
したがって、ＣＯ２濃度調整部４０として、気流の揺らぎを発生させる機能を有する換気装置を用いることによって、快適性を向上させることができる。これにより、ユーザ３が感じる体感温度を一層適切に調整することができる。
【００６９】
なお、本実施の形態においては、ユーザ３が感じる暑さを解消させるために気流には、ＣＯ２濃度調整部４０に由来するのもの（ＣＯ２濃度を下げる場合）と温度調整部５０に由来するもの（温度を下げる場合）との２種類がある。このため、気流の揺らぎによって快適性を向上させるには、ＣＯ２濃度調整部４０からの給気気流に対しても揺らぎを発生させるとよい。さらに、ＣＯ２濃度調整部４０と温度調整部５０との制御が切り替わった際の気流の切り替えを不自然に感じさせないために、ＣＯ２濃度調整部４０の揺らぎ制御について制御部６０からの制御指示に含めておき、制御部６０における温度調整部５０と同じ揺らぎ制御にしておくとよい。
【００７０】
また、ＣＯ２濃度調整部４０と温度調整部５０との制御を切り替えた後に、ユーザ３の満足度を評価してもよい。この場合、ユーザ３の満足度が低ければ空調制御を変更し、ユーザ３の満足度が高ければ、良い制御条件として記憶部７０に記憶したりデータベース化してもよい。
【００７１】
（実施の形態２）
次に、実施の形態２に係る空調システム１Ａについて、図３を用いて説明する。図３は、実施の形態２に係る空調システム１Ａの構成を示すブロック図である。
【００７２】
図２に示すように、実施の形態２に係る空調システム１Ａは、実施の形態１に係る空調システム１に対して、さらに、外気温を検出する外気温検出部８０を備える。
【００７３】
外気温検出部８０は、例えば、屋外に設置された温度センサである。外気温検出部８０は、空調システム１を構成する機器（例えば、エアコンの室外機）に内蔵されていてもよいし、空調システム１を構成する機器とは別体で屋外に別途設置されていてもよい。外気温検出部８０で検出された室温は、制御部６０に通知される。
【００７４】
また、制御部６０は、実施の形態１と同様に、入力部１０からの温度変更情報を受け取ることで、室内２の空調制御の見直しを開始する。この場合、制御部６０は、ＣＯ２濃度及び室温だけではなく、外気温検出部８０から通知された外気温に基づいて、ＣＯ２濃度調整部４０及び温度調整部５０を制御する。
【００７５】
以下、本実施の形態に係る空調システム１Ａによる具体的な空調制御方法について、図３を参照しながら図４を用いて説明する。図４は、実施の形態２に係る空調システム１Ａによる空調制御方法を示すフロー図である。
【００７６】
本実施の形態では、外気温は、室温及びＣＯ２濃度と同様に、例えば一定の時間間隔で外気温検出部８０によって検出されて制御部６０に通知されたり記憶部７０に記憶されたりしている。現在の外気温は、外気温検出部８０から直接取得してもよいし、外気温検出部８０で検出された後に制御部６０又は記憶部７０を経由して取得してもよい。
【００７７】
本実施の形態における空調制御方法でも、室内２にいるユーザ３が感じる体感温度の原因を分析し、この分析結果に基づいて室内２の空調機器を自動的に制御するが、本実施の形態では、さらに外気温も考慮して空調機器を制御している。つまり、本実施の形態でも、実施の形態１と同様に、図２に示す空調制御を行っている。
【００７８】
例えば、実施の形態１では、現在室温と温度調整部５０の設定温度とを比較した結果、現在室温が温度調整部５０の設定温度以下である場合（Ｓ１２で、現在室温≦設定温度）、制御部６０は、温度調整部５０を制御しない。つまり、この時点では、現在室温が高いわけではないので、温度調整部５０の設定温度を下げる動作が行われない。
【００７９】
しかしながら、外気温の傾向より、今後、外壁や天井面からの熱輻射の影響などによって室温が上がることが予想されることがあるので、本実施の形態では、ユーザ３が暑さを感じる前に自動で空調制御を行う。
【００８０】
具体的には、図４に示すように、現在の外気温と所定時間前の外気温とを比較し（Ｓ２１）、その結果、現在の外気温が所定時間前の外気温よりも大きい場合（Ｓ２１で、現在の外気温＞所定時間前の外気温）、制御部６０は、温度調整部５０を制御する（Ｓ２２）。より具体的には、制御部６０は、設定温度を下げるように温度調整部５０を制御する。一方、現在の外気温が所定時間前の外気温以下である場合（Ｓ２１で、現在の外気温≦所定時間前の外気温）、制御部６０は、温度調整部５０を制御しない。つまり、温度調整部５０の設定温度を変更しない。
【００８１】
なお、温度検出部２０で検出した室温及びＣＯ２濃度検出部３０で検出したＣＯ２濃度についても外気温と同様の動作を行うことで自動的に空調制御を行うことができる。
【００８２】
すなわち、現在室温＞所定時間前の室温である場合には、室温が上昇傾向にあると推定できるので、今後ユーザ３が暑さを感じる可能性があるという予測に基づいて自動的に温度調整部５０の設定温度を調節しておくとよい。
【００８３】
また、現在ＣＯ２濃度＞所定時間前のＣＯ２濃度である場合には、ＣＯ２濃度が上昇傾向にあると推定できるので、温度の場合と同様に、今後ユーザ３が厚さを感じる可能性があるという予測に基づいて自動的にＣＯ２濃度調整部４０によってＣＯ２濃度を調節しておくとよい。
【００８４】
また、現在室温≦温度調整部５０の設定温度、かつ、現在ＣＯ２濃度≦快適ＣＯ２濃度である場合、実施の形態１では、ＣＯ２濃度調整部４０及び温度調整部５０の制御は特に行わなかったが、本実施の形態では、過去の室温及びＣＯ２濃度と現在の室温及びＣＯ２濃度との比較によって室温及びＣＯ２濃度が上昇傾向にあるか下降傾向にあるかを判断することによって、ユーザ３に暑さを感じさせないような空調制御を行うことが可能となる。
【００８５】
また、温度調整部５０の設定温度の下限値又は低下幅を予め決めておいて、設定温度が下限値になったときにそれ以上設定温度を下げないようにしておくことで、外気温が上昇していても建物の断熱性能が優れているために室温が上昇していない場合に、冷やし過ぎてユーザ３に寒さ側の不快を感じさせることを回避できる。逆に、外気温及び室温が下降している場合には、温度調整部５０の設定温度を上げる制御を行うことも可能である。ただし、ＣＯ２濃度については、ＣＯ２濃度が下降していれば特に空調制御を切り替える制御は行わない。
【００８６】
以上、本実施の形態に係る空調システム１Ａによれば、実施の形態１と同様の空調制御を行っているので、ユーザ３が感じる体感温度を適切に調整することができる。
【００８７】
また、本実施の形態では、外気温を検出する外気温検出部８０を備えており、室温及びＣＯ２濃度だけではなく外気温も考慮して空調機器を制御している。具体的には、温度検出部２０で検出した現在の室温≦温度調整部５０の設定温度、かつ、外気温検出部８０で検出した現在の外気温＞所定の時間前に外気温検出部８０で検出した過去の外気温である場合に、温度調整部５０の設定温度を下げている。
【００８８】
このように、現在の外気温と過去の外気温とを取得して比較することによって外気温が上昇傾向にあるのか下降傾向にあるのかが分かるので、外気温によって今後の室温が上昇するのか下降するのかを推定することができる。これにより、例えば、室温が上昇することが予想される場合には、ユーザ３が暑さを感じる前に自動で空調制御を行うことができる。この場合、室温及びＣＯ２濃度に応じて、自動的にＣＯ２濃度調整部４０及び温度調整部５０を制御することができる。したがって、ユーザ３が暑さを感じ始める前に予測して空調機器の制御を行うことができるので、ユーザ３の体感温度を常時快適な温度に維持することができる。
【００８９】
（その他変形例等）
以上、本発明に係る空調システムについて、実施の形態に基づいて説明したが、本発明は、上記の実施の形態に限定されるものではない。
【００９０】
例えば、上記実施の形態において、ＣＯ２濃度調整部４０と温度調整部５０とは別々の空調機器として構成したが、これに限るものではなく、ＣＯ２濃度調整部４０と温度調整部５０とは同じ空調機器であってもよい。例えば、エアコンである温度調整部５０にＣＯ２濃度調整部４０の機能を内蔵させてもよい。
【００９１】
また、上記実施の形態の空調システムにおける各機器をネットワークで接続し、スマートフォン等又はＰＣ等の情報処理端末の制御プログラムを介して各機器の制御を行ってもよい。
【００９２】
その他、上記実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【００９３】
また、上記の実施の形態において、制御部６０の処理は、コンピュータによって実行することができる。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。
【００９４】
また、上記実施の形態において、記憶部７０は、例えば、ＳＲＡＭ又はＤＲＡＭ等の揮発性の記憶装置からなる主記憶装置、あるいは、磁気ディスク、光ディスク、光磁気ディスク又は半導体メモリ等の不揮発性の記憶装置からなる補助記憶装置によって構成される。
【００９５】
また、上記の各処理を実行するためのプログラムは、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。
【符号の説明】
【００９６】
１、１Ａ  空調システム
２  室内
３  ユーザ
１０  入力部
２０  温度検出部
３０  ＣＯ２濃度検出部
４０  ＣＯ２濃度調整部
５０  温度調整部
６０  制御部
８０  外気温検出部
【図１】
2017096584.tif 000003
【図２】
2017096584.tif 000004
【図３】
2017096584.tif 000005
【図４】
2017096584.tif 000006